(57)【特許請求の範囲】
【請求項１】
矩形なクッション体よりなり、背上げ機構を有するリクライニングべッドの背フレームに適合する位置に前記矩形なクッション体における長手方向の一方端側から長手方向の途中まで複数層に分離している分離クッション体が載置されてベッドの屈曲点を支点として当該背フレームが起上することにより上層部クッション体と下層部クッション体とが該上層部クッション体と下層部クッション体との接触面でスライドして上層部クッション体が下層部クッション体より突出するようになっているリクライニング用マットレスであって、前記矩形なクッション体を外装している袋体が長手方向の一方端側から長手方向の途中まで各複数層のクッション芯体の矩形形状に合わせて複数に分かれて各複数層の袋体を成していると共に残りの長さ部分は一つの袋体を成しており、且つ、各複数層の袋体の互いに接触する上面と下面とが結合する結合部分と複数層に分離されていない袋体の両側内面に当該接合部分を一定の位置に保つ力布が固定されていることを特徴とするリクライニング用マットレス。
【請求項２】
複数層のクッション体の各袋体が互いに接する接触面に摩擦係数の低い滑りやすい生地を有した請求項１記載のリクライニング用マットレス。
【発明の詳細な説明】
【０００１】
【産業上の利用分野】
本発明は、介護や治療などに利用される背上げ機構を有するベッドにおいて、背上げを行なうとき、ベッドの利用者の腹部を圧迫することなく快適に背上げを行なうことができるマットレスに関する。
【０００２】
【従来の技術】
リクライニングベッドに使用されるマットレスは、一般的に一枚の一体式のマットレスが使用されており、この一体式マットレスの場合、背の起伏部の屈曲点において、マットレスに厚さがあることにより、下面が屈曲点に沿って折り曲がっていくと、上面では縮む方向に力が働き、その力から逃げるために、前方に内部のクッション体が押し出され、腹部を圧迫されて、窮屈感が出るという欠点があった。これは、マットレスの厚さが大きくなるほど、顕著となっていた。そのため、これを少しでも解決する方法として、リクライニングフレームの屈曲点を多関接構造として、曲線的に曲げる構造のものもあるが、根本的な解決にはつながらない点とフレームの構造が複雑となり、コスト高につながっていた。
【０００３】
また、マットレスの方で解決する試みとして、一般に利用されている二分割式マットレス１０のものはあった。これは図６に示すように、二分割式マットレス１０は、マットレスＡ１１とマットレスＢ１２に分割され、連結部１３によりマットレスＡ１１とマットレスＢ１２が連結されている。この場合、マットレスの連結部１３を支点として屈曲するように、背フレーム１４がマットレスの連結部１３を支点として回動するように移動する構造としたもので、マットレス上面の連結部１３を支点としてマットレスが屈曲するため、利用者の上半身は自然な形で腰部から屈曲し、腹部への圧迫を解消するものである。
【０００４】
しかし、二分割式マットレス１０は、そのマットレスの使用頻度が多くなればなる程、二分割式マットレス１０は連結部１３のみで連結された構造であるため、長期にわたる屈曲の繰り返しにより連結部１３が破損するという欠点があった。また、ベッドの利用者の重量比の一番大きくなる腰部分にあたる点で分割されたものであるため、マットレスの内部の詰物が、分割されていないマットレスに比べて形崩れを起こす可能性が多分にあり、寝心地を損なうようになるという欠点もあった。
【０００５】
【発明が解決しようとする課題】
このように、背上げ動作の際、マットレスにより利用者の腹部に対する圧迫を解消するとともに、長期使用に対する耐久性のある、寝心地を損なうことの無いマットレスを提供することにある。
【０００６】
【課題を解決するための手段】
矩形なクッション体よりなり、背上げ機構を有するリクライニングベッドの背フレームに適合する位置に前記矩形なクッション体における長手方向の一方端側から長手方向の途中まで複数層に分離している分離クッション体が載置されてベッドの屈曲点を支点として当該背フレームが起上することにより上層部クッション体と下層部クッション体とが該上層部クッション体と下層部クッション体との接触面でスライドして上層部クッション体が下層部クッション体より突出するようになっているリクライニング用マットレスであって、前記矩形なクッション体を外装している袋体が長手方向の一方端側から長手方向の途中まで各複数層のクッション芯体の矩形形状に合わせて複数に分かれて各複数層の袋体を成していると共に残りの長さ部分は一つの袋体を成しており、且つ、各複数層の袋体の互いに接触する上面と下面とが結合する結合部分と複数層に分離されていない袋体の両側内面に当該接合部分を一定の位置に保つ力布が固定されていることを特徴とするリクライニング用マットレスである。
【０００７】
【作用】
リクライニングベッドフレームの背上げ側に、二層に分離したクッション体を載置し、リクライニングベッドフレームの背フレーム１４を起上させた場合に、リクライニングベッドフレームの背フレーム１４の屈曲点を支点として、屈曲すると、下層部のクッション体は、リクライニングベッドフレームの屈曲点に沿って屈曲を開始する。それにともなって、その上層に位置するクッション体は、下層部のクッション体と分離していることにより下層部のクッション体との接触面２７でスライドを開始し、屈曲点からのクッション体端部までの上面と下面での距離の差分だけ上方へスライドし突出することができる。このスライドによる屈曲点からのクッション体端部までの上面と下面での距離の差は、クッション体の厚さが大きくなるほど大きくなる。そのため、上記のように分離した二層のクッション体を有することで、屈曲点に縮む方向の無理な力が加わらず、容易に各クッション体が曲げられるとともに、各層の各屈曲点でクッション体が膨れ上がったり突出することがない。
【０００８】
【実施例】
次に、本発明の一実施例を図面に基づいて説明する。図１に示すように、矩形なクッション体を有するマットレスで、そのマットレスの長手方向の一方端側から、長手方向の途中までが約全長の２／３程度の長さまでクッションＡ２１、クッションＢ２２と２層に分離している。これは、一実施例として２層としたものを示したものであり、多数層に分離したものでもかまわない。
【０００９】
図２は、任意の部分を切り欠いて内部の構造を示したもので、クッションＡ２１とクッションＢ２２を一体とする外装の袋体は、上下の表面層は綿等を詰物としキルティング加工をほどこされたもので、長手方向の約２／３程度の長さ部分はクッションＡ２１とクッションＢ２２の矩形形状に合わせて二股に分かれて袋体Ａ２３と袋体Ｂ２４を成しており、残りの長さ部分は一つの袋体Ｃ２５を成している。
【００１０】
また、上記袋体Ａ２３と上記袋体Ｂ２４の二股に分かれる付根の結合部分２６は、背上げ状態の時、ベッド利用者の腰部の重量により、クッションＡ２１とクッションＢ２２の各接触面２７が任意の位置に保持され、その保持されたまま背上げ状態からフラットな状態に移行すると、面積Ａ２８の分だけクッションＡ２１とクッションＢ２２の各接触面２７にシワを形成させてしまう。（図３参照）そのため、袋体Ａ２３と袋体Ｂ２４の屈曲の繰り返しにより、袋体Ａ２３と袋体Ｂ２４に有する結合部分２６のズレが起きないように、袋体Ａ２３と袋体Ｂ２４の付根の結合部分２６と袋体Ｃ２５の両側内面２９に力布３０が縫着されている。袋体の内部のクッション素材は２枚の固綿を使用したものであるが、これは固綿に限定するものではなく、ウレタンフォーム、ラテックスフォーム等、別のクッション素材を使用したものでもかまわない。袋体Ａ２３と袋体Ｂ２４が互いに接触する接触面２７には、摩擦係数の低い滑りやすい生地を使用したもので、袋体Ａ２３と袋体Ｂ２４と袋体Ｃ２５にクッション素材を挿入しマットレスの状態にした場合に、図４に示すように、上側のクッションＡ２１がリクライニング起上時に上方へスライドしやすくしている。
【００１１】
図５は、本発明のリクライニング用マットレスの別な使用例を示したもので、クッションＡ２１とクッションＢ２２の接触面２７に滑りやすい生地を使用していることで、クッションＡ２１とクッションＢ２２の間に別なクッションＣ３１を挿入することで、寝姿勢を良くしたり、また、オムツ交換や用便時に介護者が作業しやすい姿勢を被介護者に取らせたりすることが容易に行なえる。
【００１２】
【発明の効果】
以上の様に、本発明によれば、背上げ機構を有するベッドの背フレーム１４に適合する位置に、マットレスをクッションＡ２１とクッションＢ２２に分離させ、クッションＡ２１とクッションＢ２２の接触面２７に摩擦係数の低い生地などを有することにより、クッションＡ２１がクッションＢ２２の長手方向の外側にスライドし、ベッドの利用者の腹部に対する圧迫を解消し、また、背上げ状態とフラットな状態を繰り返し行なう際に、クッションＡ２１の内部の詰物とクッションＢ２２の内部の詰物の間に固定された力布３０を設けることにより、結合部分２６を一定の位置に保つことが可能となり、マットレスの形状を長期間保持することができクッションＡ２１とクッションＢ２２の間に別なクッションＣ３１を容易に挿入することができ、介護者の作業しやすい姿勢を被介護者にとらすことができる。
【００１３】
【図面の簡単な説明】
【図１】本発明にかかるマットレスの一実施例を示す外観図である。
【図２】本発明にかかるマットレスを任意の部分を切り抜き、内部の詰物を抜き取った一実施例を示す外観図である。
【図３】本発明にかかるマットレスが背上げ状態とフラット状態を繰り返すことにより結合部分２６にシワが生じている状態を示す透視図である。
【図４】本発明にかかるマットレスが背上げされた状態を示す側面図である。
【図５】本発明にかかるマットレスのクッションＡ２１とクッションＢ２２の間に別のクッションＣ３１が挿入された状態を示す側面図である。
【図６】従来の二分割式マットレスの一実施例を示す側面図である。
【符号の説明】
１０・・・・・・・・・・二分割式マットレス
１１・・・・・・・・・・マットレスＡ
１２・・・・・・・・・・マットレスＢ
１３・・・・・・・・・・連結部
１４・・・・・・・・・・背フレーム
２１・・・・・・・・・・クッションＡ
２２・・・・・・・・・・クッションＢ
２３・・・・・・・・・・袋体Ａ
２４・・・・・・・・・・袋体Ｂ
２５・・・・・・・・・・袋体Ｃ
２６・・・・・・・・・・結合部分
２７・・・・・・・・・・接触面
２８・・・・・・・・・・面積Ａ
２９・・・・・・・・・・側内面
３０・・・・・・・・・・力布
３１・・・・・・・・・・クッションＣ
【図１】
0003592158.tif 000002
【図２】
0003592158.tif 000003
【図３】
0003592158.tif 000004
【図４】
0003592158.tif 000005
【図５】
0003592158.tif 000006
【図６】
0003592158.tif 000007